(57)【要約】      （修正有）【課題】  偏波モード分散（ＰＭＤ）を減少させつつ、中間分岐する際に十分な光ファイバ心線の余長を取り出すことができるとともに機械的強度を低下させない光ファイバケーブル用スロットおよび光ファイバケーブルを提供する。【解決手段】  スロットロッド１３の外径を長手方向に変化させて外径Ｄを大きくすることにより、スロット溝１１に収容される光ファイバ心線２１の曲率半径が大きくし、スロット溝の捻回ピッチを長手方向に変化させる。【選択図】  図１
2006178229.tif 000002
【特許請求の範囲】
【請求項１】
略円筒形状のスロットロッドの外表面に光ファイバ心線を収容する複数のスロット溝が長手方向に捻回して設けられている光ファイバケーブル用スロットであって、
前記スロットロッドの外径が長手方向に変化していることを特徴とする光ファイバケーブル用スロット。
【請求項２】
前記スロットロッドの外径と前記スロット溝の捻回ピッチが長手方向に変化することを特徴とする請求項１に記載の光ファイバケーブル用スロット。
【請求項３】
前記スロットロッドの外径が大きい大径部では前記捻回ピッチが長く、前記スロットロッドの外径が小さい一般部では前記捻回ピッチが短いことを特徴とする請求項２に記載の光ファイバケーブル用スロット。
【請求項４】
前記スロットロッドの外径または前記スロット溝の捻回ピッチのいずれか一方、あるいは、前記スロットロッドの外径および前記スロット溝の捻回ピッチの両方が、周期的変化をすることを特徴とする請求項１から請求項３のいずれかに記載の光ファイバケーブル用スロット。
【請求項５】
前記周期的変化が、正弦波または正弦波を成分とする曲線状に変化することを特徴とする請求項４に記載の光ファイバケーブル用スロット。
【請求項６】
前記スロットロッドの外径Ｄが、２ｍｍ≦Ｄ≦１７ｍｍの範囲であり、捻回ピッチＬが、３０・Ｄ＋５５≦Ｌ≦３０・Ｄ＋２５５の範囲であることを特徴とする請求項１から請求項５のいずれかに記載の光ファイバケーブル用スロット。
【請求項７】
請求項１から請求項６のいずれかに記載の光ファイバケーブル用スロットに光ファイバ心線を収容したことを特徴とする光ファイバケーブル。
【請求項８】
前記光ファイバ心線がシングルモード光ファイバであることを特徴とする請求項７に記載の光ファイバケーブル。
【発明の詳細な説明】
【技術分野】
【０００１】
本発明は、略円筒形状の外表面に光ファイバ心線を収容する複数のスロット溝が長手方向に捻回して設けられている光ファイバケーブル用スロットおよび光ファイバケーブルに関するものである。
【背景技術】
【０００２】
近年、複数本の光ファイバ心線を収容して、多数の光ファイバを有するスロット型が光ファイバケーブルの主流となってきた（例えば特許文献１参照）。
すなわち、図１１に示すように、特許文献１に開示の光ファイバケーブル用スロット１００は、円筒形状のスロットロッド１００ａの表面に、複数（ここでは例えば５個）のリブ１０１によって円周方向に区画された複数のスロット溝１０２が、長手方向に沿って捻回して設けられている。また、スロットロッド１００ａの中心には、長手方向に強度部材であるテンションメンバ１０３が設けられている。また、スロット溝１０２の内面には、長手方向に間欠的に粘着性樹脂１０４が設けられている。
これにより、スロット溝１０２に収容される図示せぬ光ファイバ心線の移動を抑えて保持性を高めるようになっている。
【０００３】
また、地域情報化やＦＴＴＨ（Ｆｉｂｅｒ  Ｔｏ  Ｔｈｅ  Ｈｏｍｅ）に向けて加入者周辺地域への光ケーブル網の整備が活発に行われている。この光ケーブル網には、一旦、光ケーブルを敷設した後に、ケーブルの任意のポイントからケーブルを切断することなく所望の光ファイバを分岐して、加入者までの光ファイバ配線を容易に行うことができるように、特にＳＺ捻回スロットを用いた光ファイバケーブルの使用が多くなっている。
【特許文献１】特開２００３−３２９９０７号公報
【発明の開示】
【発明が解決しようとする課題】
【０００４】
ところで、最近のインターネットを中心とする情報通信の普及で、大容量化のニーズに応えるために波長分割多重(ＷＤＭ)による一層の高密度化と並んで、伝送速度の高速化が進められている。次世代の伝送速度とされている４０Ｇｂｉｔ／ｓにおいては、これまでの１０Ｇｂｉｔ／ｓ以下のシステムではあまり問題とされなかった偏波モード分散(Polarization  Mode  Dispersion:ＰＭＤ)が、伝送特性悪化の要因となってくる。
このＰＭＤは、光ファイバ断面内の直交する２偏波モード成分間に伝搬時間差を生じ、光信号波形の劣化を引き起こす現象である。この現象が生じる主な原因として、光ファイバのコア及びクラッドの断面形状を完全な真円形で同心形状とすることが難しく、僅かに楕円あるいは歪んだ円となるため屈折率分布が完全な同心円状とならないことにある。さらに、ケーブル化において光ファイバに加わる規則性や方向性を有する力学的歪みもＰＭＤを劣化させる。
【０００５】
スロット型光ファイバケーブルにおいて、ＰＭＤを低減するためには、光ファイバ心線を収容するスロット溝の捻回ピッチを長くして光ファイバの曲率半径を大きくすることが有利であることがわかっているが、単にピッチを長くするだけでは、スロット溝に収容された光ファイバ心線のスロット溝からの引抜き力（以下、心線引抜き力と言う）が低下し、また、ピッチが長いと中間分岐する際に必要な十分な光ファイバ心線の余長を取り出すことができないという不都合がある。
【０００６】
本発明は、前述した問題点に鑑みてなされたものであり、その目的は、偏波モード分散（ＰＭＤ）を減少させつつ、中間分岐する際に十分な光ファイバ心線の余長を取り出すことができるとともに、心線引抜き力を低下させない光ファイバケーブル用スロットおよび光ファイバケーブルを提供することにある。
【課題を解決するための手段】
【０００７】
前述した目的を達成するために、本発明に係る光ファイバケーブル用スロットは、略円筒形状のスロットロッドの外表面に光ファイバ心線を収容する複数のスロット溝が長手方向に捻回して設けられている光ファイバケーブル用スロットであって、前記スロットロッドの外径が長手方向に変化していることを特徴としている。なお、この外径の変化とは、表面粗さや製造上の寸法精度程度のものではなく、それらよりも大きな変化を言う。
【０００８】
このように構成された光ファイバケーブル用スロットにおいては、スロットロッドの外径を大きくすることにより、中間後分岐に必要な光ファイバ心線の取出し長を光ファイバケーブルのどの部分においても十分に確保することができるので、中間後分岐の場所が制限されない。また、スロットロッドの外径が変化してスロット溝に収容される光ファイバ心線の曲率半径が変化するので、心線引抜き力を大きくして保持性を高めることができる。
【０００９】
また、本発明に係る光ファイバケーブル用スロットは、前記スロットロッドの外径と前記スロット溝の捻回ピッチが長手方向に変化することを特徴としている。
【００１０】
このように構成された光ファイバケーブル用スロットにおいては、スロットロッドの外径変化に加えて捻回ピッチが変化するので、これにより、スロット溝に収容される光ファイバ心線の曲率半径が変化して、ＰＭＤを改善することができる。また、スロットロッドの外径を変化させることにより、中間後分岐に必要な光ファイバ心線の取出し長を光ファイバケーブルのどの部分においても十分に確保することができるので、中間後分岐の場所が制限されないようになる。
【００１１】
また、本発明に係る光ファイバケーブル用スロットは、前述したように、スロットロッドの外径とスロット溝の捻回ピッチが長手方向に変化するものであって、前記スロットロッドの外径が大きい大径部では前記捻回ピッチが長く、前記スロットロッドの外径が小さい一般部では前記捻回ピッチが短いことを特徴としている。
【００１２】
このように構成された光ファイバケーブル用スロットにおいては、スロットロッドの外径が大きい大径部では捻回ピッチを長く、スロットロッドの外径が小さい一般部では捻回ピッチを短くすることにより、スロット溝に収容される光ファイバ心線の曲率半径が確実に変化して、ＰＭＤを改善することができる。また、中間分岐するための取出し長を光ファイバケーブルのどの部分においても等しく確保することができる。
【００１３】
また、本発明に係る光ファイバケーブル用スロットは、前述したように、スロットロッドの外径とスロット溝の捻回ピッチが長手方向に変化するものであって、前記スロットロッドの外径または前記スロット溝の捻回ピッチのいずれか一方、あるいは、前記スロットロッドの外径および前記スロット溝の捻回ピッチの両方が、周期的変化をすることを特徴としている。
【００１４】
このように構成された光ファイバケーブル用スロットにおいては、外径の変化を周期的にすることにより、上記したＰＭＤの改善や中間分岐の際の取出し長の確保が得られる効果に加えて、スロットロッドの製造が容易になる。また、スロット溝の捻回ピッチを周期的にすることにより、スロット溝の形成が容易になる。
【００１５】
また、本発明に係る光ファイバケーブル用スロットは、前述したように、スロットロッドの外径または前記スロット溝の捻回ピッチのいずれか一方、あるいは、前記スロットロッドの外径および前記スロット溝の捻回ピッチの両方が、周期的変化をするものであって、前記周期的変化が、正弦波または正弦波を成分とする曲線状に変化することを特徴としている。
【００１６】
このように構成された光ファイバケーブル用スロットにおいては、スロットロッドの外径またはスロット溝の捻回ピッチのいずれか一方、あるいは、スロットロッドの外径およびスロット溝の捻回ピッチの両方を正弦波または正弦波を成分とする曲線状に規則的に変化させることにより、容易に製造することができるようになる。
【００１７】
また、本発明に係る光ファイバケーブル用スロットは、前述したように、スロットロッドの外径とスロット溝の捻回ピッチが長手方向に変化するものであって、前記スロットロッドの外径Ｄが、２ｍｍ≦Ｄ≦１７ｍｍの範囲であり、捻回ピッチＬが、３０・Ｄ＋５５≦Ｌ≦３０・Ｄ＋２５５の範囲であることを特徴としている。
【００１８】
このように構成された光ファイバケーブル用スロットにおいては、スロットロッドの外径Ｄが、２ｍｍ≦Ｄ≦１７ｍｍの範囲であり、捻回ピッチＬが、３０・Ｄ＋５５≦Ｌ≦３０・Ｄ＋２５５の範囲において最も理想的な効果を得ることができる。
【００１９】
また、本発明に係る光ファイバケーブルは、前述したように、スロットロッドの外径とスロット溝の捻回ピッチが長手方向に変化する光ファイバケーブル用スロットに光ファイバを収容したことを特徴としている。
【００２０】
このように構成された光ファイバケーブルにおいては、捻回ピッチが長い部分を設けることにより、ＰＭＤを改善することができる。また、スロットロッドの径を変化させることにより、中間後分岐に必要な光ファイバ心線の取出し長を光ファイバケーブルのどの部分においても確保することができるので、中間後分岐の場所が制限されないようになる。また、スロットロッドの外径の変化や、スロット溝の捻回ピッチを、例えば正弦波または正弦波を成分とする曲線状に規則的に変化させることにより、製造が容易になる。ここで、スロットロッドの外径Ｄを、２ｍｍ≦Ｄ≦１７ｍｍの範囲、捻回ピッチＬを、３０・Ｄ＋５５≦Ｌ≦３０・Ｄ＋２５５の範囲とするのが望ましい。
【００２１】
また、本発明に係る光ファイバケーブルは、前述したように、スロットロッドの外径とスロット溝の捻回ピッチが長手方向に変化する光ファイバケーブル用スロットに光ファイバ心線を収容したものであって、前記光ファイバ心線がシングルモード光ファイバであることを特徴としている。
【００２２】
このように構成された光ファイバケーブルにおいては、伝搬可能な導波モードを一つのみに制限したシングルモード光ファイバで問題となるＰＭＤを低減できるため特に有効なものとなる。
【発明の効果】
【００２３】
本発明によれば、従来技術での問題点を解消して、ＰＭＤの改善を図りながら、中間後分岐に必要な光ファイバ心線の取出し長を光ファイバケーブルのどの部分においても十分に確保することができ、しかも、光ファイバ心線のスロット溝からの引き抜き力も大きくできるという効果が得られる。
【発明を実施するための最良の形態】
【００２４】
以下、本発明に係る好適な実施の形態を図面に基づいて詳細に説明する。
図１は本発明の一実施の形態に係る光ファイバケーブル用スロットを示す斜視図、図２は光ファイバケーブル用スロットの端面図、図３はスロット溝の拡大図、図４は反転角の説明図、図５（Ａ）および（Ｂ）はスロットロッドの外径と捻回ピッチとの関係の一例を示すグラフ、図６（Ａ）および（Ｂ）はスロットロッドの外径と捻回ピッチとの別の関係を示すグラフ、図７は正弦波を示すグラフ、図８はスロットロッドの外径と捻回ピッチの好適な範囲を示すグラフ、図９は本発明の実施の形態に係る光ファイバケーブルの斜視図である。
【００２５】
図１および図２に示すように、本発明の一実施の形態である光ファイバケーブル用スロット１０は、略円筒形状のスロットロッド１３の外表面１３ａに光ファイバ心線２１（図３参照）を収容する複数のスロット溝１１が長手方向にＳＺ型に捻回して設けられている。そして、スロットロッド１３の外径Ｄが長手方向に変化している。
【００２６】
すなわち、光ファイバケーブル用スロット１０は、中心に例えば１．６ｍｍφのテンションメンバ１２を有する円筒形状をした樹脂製のスロットロッド１３の外周面１３ａに、複数（例えばここでは３個）のリブ１４により区画された複数（例えばここでは３個）のスロット溝１１が設けられている。
図３に示すように、スロット溝１１は断面が、深さＹ、底面の幅Ｗ１、外側の開口幅Ｗ２とする略矩形あるいは台形となっており、図１に示すように、長手方向に所定の捻回ピッチＬで設けられている。捻回方向は、反転ピッチＬ／２でＳ方向あるいはＺ方向に反転していて、いわゆるＳＺ型のスロットを形成している。また、図４に示すように、スロット溝１１は、スロットロッド１３の中心に対する反転角θで捻回している。
【００２７】
図２および図５（Ａ）に示すように、スロットロッド１３の外径Ｄは、外径が小さい一般部１３Ａの直径Ｄ０から外径が大きい大径部１３Ｂの直径Ｄ１まで変化し、図５（Ｂ）に示すように、スロット溝１１の捻回ピッチＬは全長にわたって一定とされている。従って、スロット溝１１の捻回ピッチＬは、外径Ｄの一般部１３Ａと大径部１３Ｂとで同じピッチであり、Ｌ０＝Ｌ１である。
なお、スロットロッド１３は、例えば、長手方向の長さ１００ｍ当たり１０ｍの割合で大径部１３Ｂが設けられて、外径Ｄが滑らかに変化するように形成されている。
【００２８】
捻回ピッチＬはスロットロッド１３の外径Ｄに応じて変化させるのが望ましい。
すなわち、スロットロッド１３の外径Ｄが大きい部分（大径部）１３Ｂでは、捻回ピッチＬを長くし、スロットロッド１３の外径Ｄが小さい部分（一般部）１３Ａでは、捻回ピッチＬを短くすることが望ましい。
スロットロッド１３の外径Ｄは、図２および図６（Ａ）に示すように、一般部１３Ａの直径Ｄ０から、大径部１３Ｂの直径Ｄ１まで変化する。
捻回ピッチＬは、外径Ｄが小さい一般部１３ＡではＬ０、外径Ｄが大きな大径部１３ＢではＬ１（＞Ｌ０）となっている。ここで、例えば、Ｌ１＝２×Ｌ０とすることができる。
【００２９】
このように、外径Ｄの変化に応じてスロットロッド１３の径Ｄを変化させることにより、中間後分岐に必要な光ファイバ心線２１の取出し長を光ファイバケーブル２０のどの部分においても略等しく確保することができるので、中間後分岐の場所が制限されない。また、捻回ピッチＬの長い部分を設けることにより、ＰＭＤを改善することができる。また、スロットロッド１３の外径Ｄが大きくなった分、スロット溝１１に収容されている光ファイバ心線２１の曲率半径が大きくなるので、ＰＭＤの改善が図られるとともに、光ファアバ心線２１のスロット溝１１からの引き抜き力を大きくして、保持性を高めることができる。
【００３０】
なお、外径Ｄの変化、あるいは捻回ピッチＬを、周期的変化とするのが望ましい。特に、周期的変化としては、図７に示すように、正弦波または正弦波を成分とする曲線状とするのが望ましい。
このように、スロットロッド１３の外径Ｄの変化を周期的にすることにより、スロットロッドの製造が容易になる。また、スロット溝の捻回ピッチを周期的にすることにより、スロット溝の形成が容易になる。
【００３１】
なお、スロットロッド１３の外径Ｄは、２ｍｍ≦Ｄ≦１７ｍｍの範囲とし、捻回ピッチＬを、３０・Ｄ＋５５≦Ｌ≦３０・Ｄ＋２５５の範囲とすることが望ましい。
図８に示すように、ピッチＬおよびスロットロッド１３の外径Ｄを種々に変化させて、引き抜き力やＰＭＤ等の諸特性を測定した結果、前述の式のようにスロットロッド１３の外径Ｄおよび捻回ピッチＬの範囲とすることにより、最も理想的な効果を得ることができる。
【００３２】
以上、前述した光ファイバケーブル用スロット１０によれば、スロットロッド１３の外径Ｄを大きくすることにより、中間後分岐に必要な光ファイバ心線２１の取出し長を光ファイバケーブル２０のどの部分においても略等しく確保することができるので、中間後分岐の場所が制限されない。また、スロットロッド１３の外径Ｄが大きくなった分、スロット溝１１に収容されている光ファイバ心線２１の曲率半径が大きくなるので、ＰＭＤの一層の改善を図ることができるとともに、光ファイバ心線２１の保持性を高めることができる。
【００３３】
図９には、本発明の実施の形態に係る光ファイバケーブル２０が示されている。
この光ファイバケーブル２０は、前述したように長手方向に外径Ｄが変化する光ファイバケーブル用スロット１０を用いて、図３に示すように、スロット溝１１に例えばテープ心線のような光ファイバ心線２１を積層して収容したものである。
従って、スロット溝１１に収容された光ファイバ心線２１は、スロットロッド１３の外径Ｄの変化に応じて光ファイバ心線２１の取出し長を長くすることができる。また、捻回ピッチＬを長くすることにより、光ファイバケーブル２０のＰＭＤを改善することができる。なお、光ファイバ心線２１を構成する光ファイバ２２は、シングルモード光ファイバであることが望ましい。
【００３４】
なお、本発明の光ファイバケーブル用スロットおよび光ファイバケーブルは、前述した実施の形態に限定されるものでなく、適宜な変形，改良等が可能である。
例えば、前述した実施の形態においては、３本のスロット溝１１を有する光ファイバケーブル用スロット１０および光ファイバケーブル２０について例示したが、２本あるいは４本以上のスロット溝１１を有する光ファイバケーブル用スロット１０および光ファイバケーブル２０にも同様に適用可能である。更に本発明はＳＺ型のスロットに限定するものではなく、一方向捻回型のスロットにも適用できる。一方向捻回型スロットは、ＳＺ型スロットよりも規則性のある応力が加わる傾向があるため、スロット溝の捻回ピッチを変化させる効果は大きい。また、スロット溝に収容する光ファイバは、テープ心線状でも単心線状でも良く、心線数も収容可能な範囲で限定されない。
【００３５】
また、前述した実施の形態においては、スロットロッド１３の一部においてのみ外径Ｄの変化を設けたが、スロットロッド１３の全長にわたって例えば正弦波状に外径Ｄが変化するようにすることもできる。これにより、光ファイバケーブル２０のどの位置においても、中間後分岐に必要な取出し長を確保することができる。また、外径Ｄが正弦波状に変化していても同様の効果が見込まれる。
なお、このような外径を変化させるスロットを製造するには、押出し法の場合、スロットの引取り線速や樹脂の吐出量を変化させるなどにより可能である。
【実施例】
【００３６】
次に、本発明に係る光ファイバケーブル用スロットおよび光ファイバケーブルの具体的な実施例について説明する。
スロットロッド１１の外径Ｄが一定で、捻回ピッチＬも一定な、従来の基本となる一般的なスロットロッド１１の各部位の寸法等は、スロット溝１１の本数が３本、スロットロッド１３の一般部１３Ａにおける外径；Ｄ１＝６ｍｍ、捻回ピッチ；Ｌ＝３５０ｍｍ、反転角；θ＝２９０度、スロット溝１１の底面の幅；Ｗ１＝１．３ｍｍ、スロット溝１１の外側の開口幅；Ｗ２＝２ｍｍ、スロット溝の深さＹ＝１．５ｍｍである。
このときの諸特性値は、図１０に示すように、ＰＭＤが０．６０９（ｐｓ／ｋｍ１／２）、取出し長は１００ｃｍ当たり１１５ｃｍ、引き抜きは１０ｍ当たり力１．６２ｋｇｆである。
［実施例１］
【００３７】
第１実施例について説明する。図５（Ａ）で説明したように、スロットロッド１３の外径Ｄの長手方向の変化は、長さ１００ｍ当たり１０ｍの割合で大径部１３Ｂが設けられており、滑らかに変化するように形成されている。なお、スロットロッド１３の大径部１３Ｂにおける外径は、Ｄ２＝１７ｍｍである。
また、図５（Ｂ）に示すように、スロット溝１１の捻回ピッチＬ（Ｌ０＝Ｌ１）は３５０ｍｍで長手方向に一定で捻回している。
【００３８】
このときの諸特性値は、図１０に示すように、ＰＭＤは０．６０９（ｐｓ／ｋｍ１／２）で従来の値と同じであるが、取出し長は１００ｃｍ当たり従来の１１５ｃｍから２７５ｃｍに大幅に改善され、引き抜き力も１０ｍ当たり従来の１．６２ｋｇｆから４．５ｋｇｆに大幅に改善されることがわかった。
［実施例２］
【００３９】
第２実施例について説明する。図６（Ａ）に示すように、この光ファイバケーブル用スロット１０Ａにおいては、スロットロッド１３の外径Ｄの長手方向の変化は、長さ１００ｍ当たり１０ｍの割合で大径部１３Ｂが設けられており、滑らかに変化するように形成されている。なお、スロットロッド１３の大径部１３Ｂにおける外径は、Ｄ２＝１７ｍｍである。
また、図６（Ｂ）に示すように、スロット溝１１の捻回ピッチＬは、一般部１３Ａ（Ｌ０）において３５０ｍｍであり、大径部１３Ｂ（Ｌ１）においては一般部１３Ａの２倍のピッチ、すなわち７００ｍｍの周期で捻回している。
【００４０】
このときの諸特性値は、図１０に示すように、ＰＭＤは従来の０．６０９（ｐｓ／ｋｍ１／２）から０．５８１（ｐｓ／ｋｍ１／２）に改善され、取出し長は１００ｃｍ当たり従来の１１５ｃｍから１４６ｃｍと改善されている。また、引き抜き力も１０ｍ当たり従来の１．６２ｋｇｆから４．５ｋｇｆで大幅に改善されることがわかった。
【産業上の利用可能性】
【００４１】
本発明に係る光ファイバケーブル用スロットおよび光ファイバケーブルは、ＰＭＤの低減、中間後分岐に必要な光ファイバ心線の取出し長の確保、並びに、光ファイバ心線のスロット溝からの引き抜き力の向上を実現するという目的のために、略円筒形状の外表面に光ファイバ心線を収容するための複数のスロット溝が設けられた光ファイバケーブル用スロットおよび光ファイバケーブルに適用して有用である。
【図面の簡単な説明】
【００４２】
【図１】本発明の実施の形態に係る光ファイバケーブル用スロットを示す斜視図である。
【図２】図１中II方向から見た光ファイバケーブル用スロットの端面図である。
【図３】スロット溝の拡大図である。
【図４】反転角の説明図である。
【図５】（Ａ）はスロットロッドの外径を示すグラフの一例であり、（Ｂ）は捻回ピッチを示すグラフである。
【図６】（Ａ）はスロットロッドの外径を示すグラフの別の例であり、（Ｂ）は捻回ピッチを示すグラフである。
【図７】正弦波のグラフである。
【図８】スロットロッドの外径と捻回ピッチの好適な範囲を示すグラフである。
【図９】本発明の実施の形態に係る光ファイバケーブルの斜視図である。
【図１０】実施例と従来との特性値の比較を示す表である。
【図１１】従来の光ファイバケーブル用スロットの断面図である。
【符号の説明】
【００４３】
１０  光ファイバケーブル用スロット
１１  スロット溝
１３  スロットロッド
１３ａ  外表面
１３Ａ  一般部
１３Ｂ  大径部
２０  光ファイバケーブル
２１  光ファイバ心線
Ｄ  外径
Ｌ  捻回ピッチ
【図１】
2006178229.tif 000003
【図２】
2006178229.tif 000004
【図３】
2006178229.tif 000005
【図４】
2006178229.tif 000006
【図５】
2006178229.tif 000007
【図６】
2006178229.tif 000008
【図７】
2006178229.tif 000009
【図８】
2006178229.tif 000010
【図９】
2006178229.tif 000011
【図１０】
2006178229.tif 000012
【図１１】
2006178229.tif 000013